Podtech/llm-jp-corpus-v4-ja_patent huggingface dataset:
(57)【要約】      （修正有）【課題】フイット性が高く、自由な動作にて落下せず通気さわやかに使用できるイヤホンフィットループを提供する。【解決手段】イヤホンまたはフードの外周部に付着される付着部１と、前記付着部からイヤホンまたはフードの外方に延出し、バネとして機能する一対の棒状のバネ部２と、前記両バネ部の先端部同士を繋ぎ、かつ、略円弧状に湾曲した形状を有し、イヤホンが挿入される耳の窪み上の溝に入れられるフィット部３とを備える。【選択図】図２
0003185498.tif 000002
【実用新案登録請求の範囲】
【請求項１】
フイットループとして、付着部を設け、バネ部を設け、フイット部を設け、イヤホン上部に装着することを特徴とするイヤホンフイットループ
【考案の詳細な説明】
【技術分野】
【０００１】  本発明は、イヤホンに装着するフイットループに関するものである。
【背景技術】
【０００２】  従来、耳穴差し込み凸器部にイヤピースをセットする。また凸起なしの形状イヤホンでは、フードを被せ各自の耳にフイットする方法である。
【考案の概要】
【考案が解決しようとする課題】
【０００３】そのために、次のような問題点があった。
（イ）凸起付きのでは、イヤピースが耳穴にめり込む心配がある。
（ロ）口を動かすと、耳穴も動くので、がさごそする。
（ハ）フードを被せる方法では、家事や作業等の動作により、はずれやすい。
（ニ）耳口一杯の大きな場合、汗をかき蒸れる。
（ホ）補聴器など長時間使用の場合蒸れ痒くなる。
本発明は、これらの問題点を解決するためになされたものである。
【課題を解決するための手段】
【０００４】  フイットループとして、付着部を設け、バネ部を設け、フイット部を設け、イヤホンに装着する。
以上を特徴とするイヤホンフイットループである。
【考案の効果】
【０００５】  小形イヤホンにて、フイットし、動作に関わらず落下せず、通気性さわやかに使用できる。
【図面の簡単な説明】
【０００６】
【図１】本発明のイヤホンフイットループ正面図
【図２】イヤホンに装着したフイットループ正面図
【考案を実施するための形態】
【０００７】以下、本発明の実施の形態について説明する。
（イ）バネ、合成樹脂等からなるフイットループとして装着部（１）バネ部（２）フイット部（３）を設ける。
（ロ）特に携帯ポケットラジオ等のイヤホンの上に装着する。
又、イヤホンに被せるフード自体にも装着加工として利用できる。
本発明は以上のような構成で、これを使用するときは、イヤホンを耳たぶ入口上入口窪みに入れ、フイットループを指先で軽く押すことにより、窪み上の溝に自然にフィットされ、快良くさわやかに落下せず使用できる。
【符号の説明】
【０００８】１  装着部
２  バネ部
３  フイット部
【図１】
0003185498.tif 000003
【図２】
0003185498.tif 000004
【手続補正書】
【提出日】平成25年6月14日(2013.6.14)
【手続補正１】
【補正対象書類名】明細書
【補正対象項目名】全文
【補正方法】変更
【補正の内容】
【考案の詳細な説明】
【技術分野】
【０００１】
本考案は、イヤホンに装着するイヤホン用フィットループに関するものである。
【背景技術】
【０００２】
従来、耳孔差し込み凸起部にイヤピースをセットする。また、凸起なしの形状のイヤホンでは、フードを被せ各自の耳にフィットする方法である。
【考案の概要】
【考案が解決しようとする課題】
【０００３】
そのために、次のような問題点があった。
（イ）凸起付きのでは、イヤピースが耳穴にめり込む心配がある。
（ロ）口を動かすと耳穴も動くので、がさごそする。
（ハ）フードを被せる方法では、家事や作業等の動作により、はずれやすい。
（ニ）耳口一杯の大きな場合、汗をかき蒸れる。
（ホ）補聴器など長時間使用の場合蒸れ痒くなる。
本考案は、これらの問題点を解決するためになされたものである。
【課題を解決するための手段】
【０００４】
本考案は、イヤホンまたはイヤホンに取り付けられるフードの外周部から外方に延出して設けられる略Ｕ字状のイヤホン用フィットループであって、
イヤホンまたはフードの外周部に付着される付着部と、
前記付着部からイヤホンまたはフードの外方に延出し、バネとして機能する一対の棒状のバネ部と、
前記両バネ部の先端部同士を繋ぎ、かつ、略円弧状に湾曲した形状を有し、イヤホンが挿入される耳の窪み上の溝に入れられるフィット部とを備えることを特徴とする。
【考案の効果】
【０００５】
小型イヤホンにて、フィットし、動作に関わらず落下せず、通気性さわやかに使用できる。
【図面の簡単な説明】
【０００６】
【図１】本考案の実施の形態のイヤホン用フィットループの正面図である。
【図２】イヤホンに装着したフィットループの正面図である。
【考案を実施するための形態】
【０００７】
以下、本考案の実施の形態について説明する。
（イ）バネ、合成樹脂等からなるフィットループとして、装着部（１）、バネ部（２）、フィット部（３）を設ける。
（ロ）特に携帯ポケットラジオ等のイヤホンの上に装着する。
又イヤホンに被せるフード自体にも装着加工として利用できる。
本考案は以上のような構成で、これを使用するときはイヤホンを耳たぶ入口上入口窪みに入れ、フィットループを指先で軽く押すことにより、窪み上の溝に自然にフィットフィットされ、快良くさわやかに落下せず使用できる。
【符号の説明】
【０００８】
１    付着部
２    バネ部
３    フィット部
【手続補正２】
【補正対象書類名】実用新案登録請求の範囲
【補正対象項目名】全文
【補正方法】変更
【補正の内容】
【実用新案登録請求の範囲】
【請求項１】
イヤホンまたはイヤホンに取り付けられるフードの外周部から外方に延出して設けられる略Ｕ字状のイヤホン用フィットループであって、
イヤホンまたはフードの外周部に付着される付着部と、
前記付着部からイヤホンまたはフードの外方に延出し、バネとして機能する一対の棒状のバネ部と、
前記両バネ部の先端部同士を繋ぎ、かつ、略円弧状に湾曲した形状を有し、イヤホンが挿入される耳の窪み上の溝に入れられるフィット部とを備えることを特徴とするイヤホン用フィットループ。
(57)【要約】      （修正有）【課題】複数の用紙の縦横の各辺の中心が直ぐに分かり、穴あけパンチャーの中心点に合わせやすく、それぞれ目が見えない人でも触って分かる穴あけパンチガイド下敷きを提供する。【解決手段】縦２９７ｍｍ、横２１６ｍｍの、Ａ４用紙より数ミリメートル幅が広い下敷きで、上に紙を載せ、各用紙のサイズに合わせた印に合わせ、下敷きにつけた中心の突起をパンチャーに合わせることで、所定の場所に穴を開けることができる。それぞれの用紙を合わせる線、および各ガイド線に合わせた切込みを付けてあるので、目視で線に合わせる、あるいは指で触って合わせて、各用紙を中心にそろえることができ、また、中心の突起は、穴あけパンチャーの中心印に合わせやすい切込み２を入れた半円形の突起になっており、容易に穴あけパンチャーの中心印に組み合わせることができる。【選択図】図１
0003185495.tif 000002
【実用新案登録請求の範囲】
【請求項１】
下敷き状で、Ａ４，Ｂ５，はがきなどの用紙の中心に合わせて、穴あけパンチャーの中心印に咬み合わせることができる切り込みがある突起があること。
【請求項２】
請求項１に加え、複数の用紙の縦・横の中心が分かるガイド線または切り込みがあること。
【考案の詳細な説明】
【技術分野】
【０００１】本考案は穴あけパンチャーで穴を開ける際、簡単に各種用紙の中心を穴あけパンチャーの中心印に当てて同じ場所に穴を開けることができるようにする下敷きです。
【考案の概要】
【考案が解決しようとする課題】
【０００２】穴あけパンチャーで穴を開ける場合、穴を開けようとする用紙の中心を見極めて穴あけパンチャーの中心印に合わせるために、通常は予め用紙を２つ折りにして中心に折り目を付け印にしますが、毎回折れ目を付けるのは手間なこと、折り目では見難く正確に中心に当てられないこと。大事な書類や冊子の場合は折り目が付けられないこと。また、穴あけパンチャー自身にガイドとなる引き手がついているものもありますが、固定できないため、薄い紙では使いにくく、引き手自体が容易に破損して失われること。
【課題を解決するための手段】Ａ４用紙より数ミリメートル幅が広い下敷きで、各種の用紙サイズに合わせた印と一辺の中心にパンチャーの印と合わせやすい形状の突起を付けることで、確実に中心に紙を当てることができます。Ａ４縦は下敷きの外枠に合わせ、Ａ４横およびはＢ５（１８２×２５７ｍｍ／１７７×２５０ｍｍ）、はがきの場合は、それぞれの用紙を合わせる線に目視で合わせる、また、各ガイド線に合わせた切込みを指で確認して合わせることができるようにすることで、各用紙の辺の中心が簡単に分かるようにしました。
更に、中心線上にＶ字型の切り込みをもった半円状の突起を付け、この半円状突起の切り込みを穴あけパンチャーの中心の印に組み合わせることで、各用紙の所定の位置にパンチャーで穴を開けることができます。
【考案の効果】  毎回紙に印をつける必要がなく、確実に同じ場所に穴を開けることができ、印を付ける手間と、同じ場所に穴が開けられることで、綺麗に書類をファイルすることができます。
また、目の見えない方でも手で触って中心を知ることができ、容易に穴あけができます。
【図面の簡単な説明】  下敷きの１の長辺と上下にＡ４用紙をそろえると、２の突起状切込みのある辺にＡ４用紙がそろいますので、２の切り込みを穴あけパンチャーの中心印に合わせます。パンチャーで穴を開けると、中心線上下にあけた長円の穴の位置に穴が開きます。
Ａ４の短辺に穴を開ける場合は、紙を１の長辺の切り込み３と２の切り込みの有る辺に合わせると３からの延長線にＡ４をそろえることができ、２の切込みを穴あけパンチャーに合わせて穴を開けます。
Ｂ５用紙には１８２×２５７と１７７×２５０の２サイズがあります。４の切り込みと５の切り抜きはそれぞれのサイズにあわせてあり、４は上下にあるので、どちらかあうほうを容易に選ぶことができます。また、それぞれのサイズの線も引いてあります。
その他、Ｂ５用紙横、はがき縦横の線が引いてあり、線に合わせると中心が合います。
【図１】突起、切り込み、各サイズの書き込みを示した平面図である。
【符号の説明】１  Ａ４用紙の長辺
２  穴あけパンチャーの中心印（通常三角形）に合わせる切込みです。
３  Ａ４用紙短辺に穴を開ける場合の紙の幅を知らせる切込みです。
４  Ｂ５用紙の長辺に穴を開ける場合に、短辺を合わせるための切り込みです。
５  Ｂ５用紙の長辺に穴を開ける場合に、長辺を合わせるための切り抜きです。
【図１】
0003185495.tif 000003
【手続補正書】
【提出日】平成25年5月28日(2013.5.28)
【手続補正１】
【補正対象書類名】実用新案登録請求の範囲
【補正対象項目名】全文
【補正方法】変更
【補正の内容】
【実用新案登録請求の範囲】
【請求項１】
下敷き状で、その一辺の中心には半円形の突起があり、その突起には、半円の中心点へ向かう扇状の切込みがあることを特徴とする穴あけパンチガイド下敷き。
【請求項２】
複数の用紙の縦・横の中心が分かる複数のガイド線または複数の切り込みがあることを特徴とする、請求項１記載の穴あけパンチガイド下敷き。
(57)【要約】      （修正有）【課題】シャンプー等を詰替容器に補充する際の、詰替袋絞り出し補充時の漏出をなくした詰替用組立式漏斗を提供する。【解決手段】盃型の平面形を有する組立式漏斗１の上端に大開口部２、下端に小開口部３を備え、左右から正面中心線５で前後を山折り開口すると上端と下端が菱形に開口する漏斗で、詰替袋絞り出し補充時の漏出をなくすことができる。【選択図】図２
0003182438.tif 000002
【実用新案登録請求の範囲】
【請求項１】
詰替用組立式漏斗は２枚の軟質プラスチックフィルムを圧着した、盃型の平面形を有する組立式漏斗で、平面の上端に大開口部、下端に小開口部を備え、左右から正面中心線で前後を山折り開口すると、上端と下端が菱形に開口する漏斗になって、詰替容器に挿入した小開口部外周部が詰替容器に空気流路を作ることを特徴とする、液体又は粉末を詰替容器に補充するための詰替用組立式漏斗。
【請求項２】
請求項１記載の素材を軟質耐水紙にした、紙素材の詰替用組立式漏斗。
【請求項３】
請求項１記載の組立式漏斗を、軟質プラスチックフィルムの詰替袋と同素材で、詰替袋の一端に一体圧着成型した、切り取り式の詰替用組立式漏斗。
【請求項４】
請求項１〜２記載の組立式漏斗を詰替袋添付式にした詰替用組立式漏斗。
【考案の詳細な説明】
【技術分野】
【０００１】  本考案は、漏斗及び漏斗を添付した詰替袋に関する。
【背景技術】
【０００２】  シャンプー等を詰替容器に補充する時に、内容物の粘性で、詰替袋から絞り出す必要があるため、注ぎ口が詰替容器から外れて漏出するという問題があった。
【考案の開示】
【考案が解決しようとする課題】
【０００３】  シャンプー等を詰替容器に補充する時の、詰替袋絞り出し補充時の漏出をなくそうとするものである。
【課題を解決するための手段】
【０００４】  この課題を解決するために、本考案は盃型の平面形を有する組立式漏斗１で、平面の上端に大開口部２、下端に小開口部３を備え、左右から正面中心線５で前後を山折り開口すると上端と下端が菱形に開口する漏斗になる、補充用の組立式漏斗を提供する。【０００５】  組立式漏斗は２枚の軟質プラスチックフィルムあるいは軟質耐水紙を圧着した単体の詰替袋添付式、もしくは軟質プラスチックフィルムの詰替袋と同素材で、詰替袋の一端に一体圧着成型した、切り取り式の詰替用組立式漏斗で提供する。
【考案の効果】
【０００６】  組立式漏斗１を開口して組み立てた漏斗を詰替容器６の首７に挿入した時に、下端の小開口部３の外周部が詰替容器６に空気流路８を作り、上端の大開口部２からの内容物の流入を容易にして漏出の課題を解決する。【０００７】  組立式漏斗は使い切りにすれば使用後の洗浄が不要になり、取扱いが便利である。また本考案は平面組立式なので詰替袋添付時の包装の簡便化を可能にする。
【考案を実施するための形態】
【０００８】  以下、添付図面に従って［請求項１］組立式漏斗の第１の実施例を説明する。  以下、添付図面に従って、［請求項１］の組立式漏斗を軟質プラスチックフィルムの詰替袋６と同素材で、詰替袋６の一端に一体圧着成型して、詰替袋６の切り取りガイド９で切り取って使用する、［請求項３］の第２の実施例を説明する。
【図面の簡単な説明】
【０００９】
【図１】本考案の組立式漏斗の、組み立て前の平面正面図である。
【図２】本考案の組立式漏斗を開口して組み立てた、漏斗の正面立体図である。
【図３】本考案の組み立てた漏斗を詰替容器に挿入した正面図である。
【図４】本考案の正面図［図３］の上面図で、Ａ−Ａ断面図である。
【図５】詰替袋６上端の切り取りガイド９の上部に、組立式漏斗１を倒立式にして圧着面４と７で一体圧着成型して、切り取りガイド９からの切り取り式にした、詰替袋６一体の組立式漏斗の正面図である。切り取りガイド９の線上に組立式漏斗１の大開口部２がある。充填は詰替袋６一体の組立式漏斗１の小開口部３からノズルパイプ１１で充填後、圧着面１０で密封する。詰替袋６の注ぎ口切り取り部８は詰替袋の一般的な注ぎ口部を示す。
【符号の説明】
【００１０】  ［図１］〜［図４］の符号の説明１組立式漏斗２組立式漏斗上端の大開口部３組立式漏斗下端の小開口部４組立式漏斗左右の圧着面５漏斗を組み立てるために左右から前後を山折り開口する正面中心線６詰替容器７詰替容器の首８詰替容器６に挿入した漏斗下端の小開口部３の外周空気流路  ［図５］の符号の説明１詰替袋上端に倒立式で一体圧着成型した組立式漏斗２組立式漏斗上端の大開口部３組立式漏斗下端の小開口部４組立式漏斗左右圧着面５漏斗を組み立てるために左右から前後を山折り開口する正面中心線６詰替袋７詰替袋の圧着面８一般的な詰替袋に形成されている注ぎ口切り取り部９組立式漏斗を詰替袋から切り取る切り取りガイド１０工場充填密封圧着面１１工場充填ノズルパイプ
【図１】
0003182438.tif 000003
【図２】
0003182438.tif 000004
【図３】
0003182438.tif 000005
【図４】
0003182438.tif 000006
【図５】
0003182438.tif 000007
(57)【要約】      （修正有）【課題】ストッカー本体に発泡ポリエチレンフォームとゴム入りマグネットシートを使用し、包丁を貼り付け収納する包丁オープンストッカーを提供する。【解決手段】発泡ポリエチレンフォーム１にゴム入りマグネットシート２を接着剤にて接着し、包丁を貼り付け収納することを可能とし、ストッカー本体を湿気が多くサビが発生しやすい台所下の収納棚内ではなく、カベに直接固定することにより、包丁を衛生的に使用することができる。【選択図】図１
0003182437.tif 000002
【実用新案登録請求の範囲】
【請求項１】
ストッカー表面部分に包丁を貼り付ける為のゴム入りマグネットシートを設け、包丁の柄を確実につかめるように本体は２．５ｃｍほどの厚みをもたせ、台所内にて衛生的に収納するところを特徴とする包丁オープンストッカー。
【考案の詳細な説明】
【技術分野】
【０００１】本考案は、発泡ポリエチレンフォームにゴム入りマグネットシートを設けた包丁収納器具に関するものである。
【背景技術】
【０００２】台所において包丁を使用し収納する際、湿気が多く風通しの悪い台所下の包丁ストッカーに収納していた。
【考案の概要】
【考案が解決しようとする課題】
【０００３】台所下のストッカーは、湿気が多い為保管状態が悪いと包丁の材質によってはサビが生じ、細菌が付着することもある。従って包丁収納場所を表に出すことにより衛生的に保管が可能になり前述の欠点を解決しようとするものである。
【課題を解決するための手段】
【０００４】本考案は、ストッカーを台所下ではなく、台所正面カベに設け、ゴム入りマグネットシートを装着した本体表部分に包丁を貼り付けることで収納を可能とし、湿気の少ない風通しの良い場所に乾燥した状態で衛生的に保管することにより問題を解決している。
【図面の簡単な説明】
【０００５】
【図１】本考案の包丁オープンストッカーの全体図である。
【図２】本ストッカーの側面図である。
【符号の説明】
【０００６】１．発泡ポリエチレンフォーム
２．ゴム入りマグネットシート
【図１】
0003182437.tif 000003
【図２】
0003182437.tif 000004
(57)【要約】      （修正有）【課題】降雪時に靴が滑って転倒して怪我をするのを防ぐため、携帯にも便利で簡単に靴に縛って固定できる簡易スノースパイク装具を提供する。【解決手段】長さ約６ｃｍ〜１０ｃｍ程度、幅約４ｃｍ程度、厚さ約６ｍｍ程度の丈夫な素材で構成された敷底９に、５〜９本のスパイクピン１０を適宜な間隔を以て含有立直させ、敷底幅両端部分に、靴等に巻きつけて固定するための丈夫で扁平な紐２、３を固着して、簡易スノースパイク装具を構成する。尚、敷底は数枚の丈夫な布あるいは革を貼り合わせて制作しても良い。【選択図】図３
0003182435.tif 000002
【実用新案登録請求の範囲】
【請求項１】
長さ約６ｃｍ〜１０ｃｍ程度、幅約４ｃｍ程度、厚さ約６ｍｍ程度の丈夫な素材で構成された敷底に、５〜９本のスパイクピンを適宜な間隔を以て含有立直させ、敷底幅両端部分に、靴等に巻きつけて固定するための丈夫で扁平な紐を一体または固着してなる簡易スノースパイク装具
【考案の詳細な説明】
【技術分野】
【０００１】  この考案は、雪道などで滑って転倒するのを防止するために、自分の靴等に簡単に着脱できるスノースパイク装具に関するものである。
【背景技術】
【０００２】  従来から、雪道等での滑り転倒防止用として様々なスパイクシューズや簡易アイゼンが提案されているが、それはいわば特殊な靴であったり、がっちりとしたアイゼンであったりしており、日常的に履く通常の靴以外に備えておくことが必要とされる提案である。しかし、雪の多い地方では必須かもしれないが、雪の量はそれ程多くはない都市部においては使用頻度の極少ない特殊な靴の需要あるいは特殊なアイゼンの需要などはほとんどない。
【先行技術文献】
【特許文献】
【０００３】
【特許文献１】  登録実用新案第３０２９９９７号
【特許文献２】  実開平６−６６３０７号
【考案の概要】
【考案が解決しようとする課題】
【０００４】  しかしながら、雪の少ない都市部において、実際に雪道を歩行する際は、通常の靴では滑り易くまたそれにより転倒しやすく、骨折や強度の打撲等を引き起こすことも少なくはなく、はなはだ危険である。前述のように、都市部においては、専用のスノースパイクシューズの使用頻度は極めて低いと考えられているため、保有している方々も大変少なく、また経済的にみても靴箱のこやしのような存在ではたとえスノースパイクシューズがあったとしても忘れられた存在として浮かばれないものがある。
そこでこの考案は、
専用のスノースパイクシューズを必要とせず、
雪道でも滑らないように、
簡単に取り付け取り外しができ、
使用しないときはコンパクトに収納でき、
小売価格も高くない手の届く価格で、
入手可能な製品であることを課題とする。
【課題を解決するための手段】
【０００５】  長さ約６ｃｍ〜１０ｃｍ程度、幅約４ｃｍ程度、厚さ約６ｍｍ程度の丈夫な素材で構成された敷底に、５〜９本のスパイクピンを適宜な間隔を以て含有立直させ、敷底幅両端部分に、靴等に巻きつけて固定するための丈夫で扁平な紐を固着して、簡易スノースパイク装具を構成する。尚、敷底は数枚の丈夫な布あるいは革を貼り合わせて制作しても良い。
【考案の効果】
【０００６】本考案によれば、雪道等を歩行する必要のある時は、スパイクピンを設けた丈夫な素材でできた敷底に自分の靴を乗せ、敷底の両端に固着した扁平で丈夫な紐を靴の略中央部に締め付けることで、装着が完了する。したがって、靴底部にはピンを下方に突出させた敷底の革部分が当たり靴に対して滑りにくくし、このピンが雪に食い込み、靴全体の滑りを抑え転倒などを防ぐ効果があり、靴への取り付け取り外しはだれでもいつでも容易に行うことができる効果がある。【０００７】  第二の効果として、靴等から取り外すと１本の扁平な紐の輪のような形状になるため、収納においても場所は取らず、折りたたんだりして、いかようにしても収納形態は楽である。【０００８】  第三の効果として、本物品は丈夫な布と皮とスパイクピンという、どこでも入手可能な素材を使用しており、また金型なども必要ないので製作コストは低く抑えられる。【０００９】  第４の効果として、旅行社など常時旅行者に対してケアを要求されるような職種においては、旅行者分の数量の本簡易スノースパイク装具を準備しておけば、旅行中の突然の降雪などに際しても迅速に旅行者に装着させることができ、旅行者の安全を確保できる効果を有する。【００１０】  第５の効果として、運送会社など梱包された品物を各家庭や会社に配送する任務においては、配送者分の数量の本簡易スノースパイク装具を準備しておけば、突然の降雪に際しても、滑ることなく安全に品物を配送でき、社会的混乱を最小限に抑えることが可能となる。【００１１】
【図面の簡単な説明】
【００１２】
【図１】本考案の簡易スノースパイク装具を広げた状態を表す図。
【図２】本考案の簡易スノースパイク装具を広げた、第１図の状態の裏側を示す図。
【図３】本考案の簡易スノースパイク装具を折りたたんだ状態を示す図。
【図４】本考案の簡易スノースパイク装具を実際に靴に取り付けた状態を示す図。
【考案を実施するための形態】
【００１３】    本考案の簡易スノースパイク装具を靴に固定するための構成について説明する。
【実施例】
【００１４】  以下、図面に従って本考案第１実施例を説明する。図１は本考案の第１実施例の簡易スノースパイク装具であり、１は簡易スノースパイク装具全体を示しており、９は敷底、８は滑り止め部材、２，３は扁平の固定紐、４は固定紐２のスパイクピン１０の突出した面とは裏面に固着されている面ファスナー１であり、５は同じく固定紐３のスパイクピン１０の突出した面とは裏面に固着されている面ファスナー２であり、固定紐２，３を丸めてそれぞれを固定するために配置される。６，７は固定紐２，３と敷底とを連結するタルカンであり、固定紐２，３が敷底９に対してより柔軟に屈曲できるように取り付けられており、このため、簡易スノースパイク装具１はコンパクトに折りたたむことができる（図３）。もちろん、構造的にはタルカン６，７を配置せずに敷底９と紐２，３は一体であっても構わない。また、紐２、３は丈夫な布ゴムでもよく、この場合は紐２，３が別々ではなく一体のもので良い。そうすれば、布ゴムの弾力を利用して靴等に簡単かつ確実に装着することができる。実際に本考案の簡易スノースパイク装具１を靴２０に固定する場合、簡易スノースパイク装具１が靴２０から脱落あるいは滑落することを防ぐために、できるだけ甲の部分にしっかりと固定する。
【符号の説明】
【００１５】１    簡易スノースパイク装具
２    固定紐
３    固定紐
４    面ファスナー１
５    面ファスナー２
６    タルカン
７    タルカン
８    滑り止め部材
９    敷底
１０  スパイクピン
２０  靴
【図１】
0003182435.tif 000003
【図２】
0003182435.tif 000004
【図３】
0003182435.tif 000005
【図４】
0003182435.tif 000006
(57)【要約】      （修正有）【課題】自動車の運転中にブレーキとアクセルの踏み間違いを防ぐ事を可能とするフロアマットを提供する。【解決手段】運転席のフロアマットに運転中に左足を置く位置を設けることにより、左足とブレーキ又はアクセルの距離間が目視で無くても分かるので、ブレーキ又はアクセルの踏み間違いを無くし、事故を防ぐことができる。（マニュアル車の場合は左足はクラッチの横において運転しているため左足とブレーキ又はアクセルの位置が目視でなくても分かり、ブレーキの踏み間違いが無かった。）【選択図】図１
0003182432.tif 000002
【実用新案登録請求の範囲】
【請求項１】
自動車を運転中に、目視でなくても左足を置く位置が分かるように左足の靴底の輪郭の一部（かかと部分は盛り上げないので一部とした）を盛り上げた自動車の運転席のフロアマット。
【考案の詳細な説明】
【技術分野】
【０００１】本考案は、自動車の運転席のフロアマットに左足の置く位置を定めるものである。
【背景技術】
【０００２】従来のクラッチ付きのマニュアル車では左足はクラッチ付近において運転していたので左足と右足の距離感覚によりブレーキとアクセルの位置を間違えることは無かった。
【考案の概要】
【考案が解決しようとする課題】
【０００３】自動車の運転中にブレーキとアクセルの踏み間違いによる事故を防ぐ。
【問題を解決するための手段】
【０００４】マニュアル車は瞬時にクラッチを踏めるように運転中は左足をクラッチの際においているので、ブレーキを踏むときにはブレーキと左足との距離が目視でなく感覚でわかるので、踏み間違いがない。一方、オートマ車の運転のときは左足は一定の所においてないので、ブレーキとアクセルの踏み間違いが多い。このため一定の位置に左足を置いておけば左足との距離感でブレーキの踏み間違いがない。
したがって、運転席のフロアマットに、左足を置いておく場所を設ければ左足との距離感でブレーキとアクセルの踏み間違いがない。
【考案の効果】
【０００５】左足との距離感でブレーキとアクセルの位置がわかるのでブレーキの踏み間違いがなく、自動車の運転中の事故が防げる。
【図面の簡単な説明】
【０００６】
【図１】自動車の運転席のフロアマットを示した平面図である。
【符号の説明】
【０００７】１  自動車の運転席のフロアマットの平面図
２  左足を置く位置（１ｃｍ程度マットより突き出してある）
【図１】
0003182432.tif 000003
(57)【要約】      （修正有）【課題】近くに駅売店・コンビニ・  商店街等が無く雨雪具を買い求め出来ない場所に設置する雨雪具が在中した自動販売機を提供する。【課題手段】外出時に急な雨雪に遭遇した際に近くに駅売店・コンビニ・商店街等が無く雨雪具を買い求め出来ない場所に傘、雨カッパ、靴や鞄カバー、背負い鞄、自転車サドルカバー等雨雪具が在中した自動販売機を設置する。自動販売機の表面２には在中の商品３である長尺ビニール傘、長尺一般的傘、折りたたみ傘、鞄や背負い鞄、自転車サドルカバー、靴カバー等を視覚可能な透明窓を設け商品表示（含む、Ｌ・Ｍ・Ｓ型）し、金銭支払いの紙幣貨幣投入口釣銭出口を設ける。目的とする商品口には選択ボタン４を取り付け押せば商品がそれぞれの大きさにより異なる出口から出る。【選択図】図２
0003182440.tif 000002
【実用新案登録請求の範囲】
【請求項１】
本考案は、外出時に急な雨雪に遭遇した際に近くに駅売店・コンビニ・商店街等が無く雨雪具を買い求め出来ない場所に傘、雨カッパ、靴や鞄、ベンチカバー、背負い鞄、自転車サドルカバー等雨雪具が在中した自動販売機
【考案の詳細な説明】
【技術分野】
【０００１】  本考案は、雨具自動販売機に関する。
【背景技術】
【０００２】  外出時に急な特に豪雨雪に遭遇した際傘等の所持がなく近くに売店・コンビニ・商店街等があれば雨具を購入対応出来るが無い場合に利用する無人の雨具自動販売機を設置する。
【考案の概要】
【考案が解決しようとする課題】
【０００３】  外出時に急な特に強い雨雪に遭遇した際に、近くに駅売店・コンビニ・商店街等が無く雨雪具を買い求め出来ない場所に雨雪具が在中した自動販売機を設置し必要な物品を購入し雨雪から身体着衣所持品を濡らさず自宅等目的地に向かおうとするものである。
【課題が解決するための手段】
【０００４】  本考案は、外出時に急な雨雪に遭遇した際に近くに駅売店・コンビニ・商店街等が無く雨雪具を買い求め出来ない場所に傘、雨カッパ、靴や鞄カバー、背負い鞄、自転車サドルカバー等雨雪具が在中した自動販売機を設置する。
【考案の効果】
【０００５】  本考案は、外出時の駅・行楽・レジャー（海・山）、各競技場等で急な雨雪に遭遇した際近くに駅売店・コンビニ・商店街等が無く雨雪具を買い求め出来ない際に必要な場所に傘、雨カッパ、靴や鞄カバー、自転車サドルカバー等雨雪具が在中した自動販売機から雨雪具等を購入し降雨等から身体着衣所持品を濡らさずに済むのである。
特に女性の場合、ブランドや高級品（バッグ、靴、洋服、和着物等）が雨等に濡れるのを嫌うのでありこれが解消される。
【図面の簡単な説明】
【０００６】
【図１】  本考案に係る雨具自動販売機図である。
【図２】  本考案に係る雨具自動販売機表面図である。
【図３】  本考案に係る雨具自動販売機在中品表示と取出し口図である。
【図４】  本考案に係る雨具自動販売機在中傘図である。
【図５】  本考案に係る雨具自動販売機展開図である。
【図６】  本考案に係る雨具自動販売機在中品鞄、背負い鞄カバー図である。
【図７】  本考案に係る雨具自動販売機在中品自転車サドルカバー図である。
【図８】  本考案に係る雨具自動販売機在中品靴カバー図である。
【符号の説明】
【０００７】  １  …  自動販売機とその大きさ
２  …  表面
３  …  商品在中品視覚窓口
４  …  商品選択ボタン
５  …  長尺ビニール傘在中視覚取り出し口
６  …  長尺一般的傘在中視覚取り出し口
７  …  折りたたみ傘在中視覚取り出し口
８  …  小物商品取り出し口
９  …  商品表示
１０  …  長傘
１１  …  商品入れ口
１２  …  商品表示
１３  …  長尺傘入れ口
１４  …  折りたたみ傘口
１５  …  小物商品取り出し口
１６  …  鞄や背負い鞄カバー
１７  …  自転車サドル用カバー
１８  …  靴、ベンチカバー
【考案を実施するための形態】
【０００８】  自動販売機の構造機能は既存の図１形態の市中設置自動販売機とし、高さは標準的な清涼飲料水自動販売機の大きさは１８３０ｃｍであることからほぼ当サイズとし幅奥行きは在中商品や設置場所に異なることとする。自動販売機の図２の２表面には３の在中の商品である長尺ビニール傘、長尺一般的傘、折りたたみ傘、鞄や背負い鞄、自転車サドルカバー、靴カバー等を視覚可能な透明窓を設け商品表示（含む、Ｌ・Ｍ・Ｓ型）し金銭支払いの紙幣貨幣投入口釣銭出口を設ける。目的とする商品口には４の選択ボタンを取り付け押せば商品がそれぞれの大きさにより異なる出口から出る。商品が選択され取り出されれば次の商品が金銭が投入されれば更に選択され取り出される様に機械的に作動する。図２の５・６は長尺ビニール傘と長尺一般的傘でそれぞれ長さは約９５ｃｍであり自動販売機の収納ケースはこの長さよりやや長くする。長尺であり幅を取ることから縦長とする。７は折りたたみ傘は長さは平均２３ｃｍであり横型に収納する。８はポリエチレン製雨カッパはカサが大きいことからこの取り出し口から出す。手提げ鞄や背負い鞄カバー、自転車サドルカバー、靴やベンチカバー類は小物でありそれぞれの小さな取り出し口から取り出す。図３の９は商品表示プレートで商品は女性・男性・大人・少年・体格の大小と異なるのでそれぞれ黒や赤とかの色違いと大きさをＬ・Ｍ・Ｓ寸の商品を在中し選択ボタンを表示する。１０は長尺傘である。図５は展開図で１１は商品可視窓１２は商品種別１３は長尺傘１４は折りたたみ傘１５は小物商品取り出し口である。図６の１６は鞄や背負い鞄等のカバー図７の１７は自転車サドルカバーで図８は靴用カバーである。
以下扱い方について説明する。傘等の雨具の在中した自動販売機を設置し在中品を商品可視窓で表示する。特に購入者は女性・男性・大人・少年・身体の大小と異なるのでそれぞれ黒や赤とかの色違いと大きさをＬ・Ｍ・Ｓ寸の商品を在中し選択ボタンを表示する。
【図１】
0003182440.tif 000003
【図２】
0003182440.tif 000004
【図３】
0003182440.tif 000005
【図４】
0003182440.tif 000006
【図５】
0003182440.tif 000007
【図６】
0003182440.tif 000008
【図７】
0003182440.tif 000009
【図８】
0003182440.tif 000010
(57)【要約】      （修正有）【課題】タオルを首に巻いた状態で、タオルの一方の端部に形成された貫通孔に、他方の端部を貫通することで、タオルが首から容易には解けないようにしたものにおいて、夏期には害虫にさされる可能性が低く、冬期には、防寒の機能が高いタオルを提供する。【解決手段】タオル１の幅方向を２等分する折れ線により２つ又は３つ折りした状態で、長手方向の少なくとも一方の端部５に、他方の端部１１を貫通できる貫通孔７を有し、この貫通孔７は、前記タオル１の長手方向に対して直交する方向に長くする。これにより、タオル１が首もと１３の前側１５でも、立った状態になり、タオル１に覆われずに首９が露出する部分が少なくなる。【選択図】図１
0003182449.tif 000002
【実用新案登録請求の範囲】
【請求項１】
タオルの幅方向を等分する折れ線により２つ又は３つ折りした状態で、長手方向の少なくとも一方の端部に、他方の端部を貫通できる貫通孔を有し、この貫通孔は、前記タオルの長手方向に対して直交する方向に長いことを特徴とする汗ふきタオル。 
【考案の詳細な説明】
【技術分野】
【０００１】
この考案は、首に巻いて使用するタオルに関する。
【背景技術】
【０００２】
屋外での農業やガーデニングなどの作業、またはレジャーなどの汗をかく活動において、首に巻いたタオルが解けないようにする工夫が、下記特許文献１，２に開示される。
これらは、タオルを細く折って首に巻いた状態で、タオルの長手方向の一方の端部に形成された貫通孔に、他方の端部を貫通することにより、タオルが首から容易には解けないようにしたものである。
【先行技術文献】
【特許文献】
【０００３】
【特許文献１】特開２００４−０４９８５７
【特許文献２】特開２００３−０４７５７１
【考案の概要】
【考案が解決しようとする課題】
【０００４】
しかしながら、上記特許文献１，２のタオルに形成される貫通孔は、タオルの長手方向に沿って長いため、首に巻いた状態では図３に示すように、タオル１０１が首もとの前側１０３で、寝た状態になる。このため、タオル１０１に覆われずに首が露出する部分１０５が多くなり、夏期には蚊、蜂、毛虫など害虫にさされる可能性が高くなる。また、冬期には、露出する部分が寒気にさらされ防寒の機能が低くなる。
【０００５】
この考案は、以上の問題点を解決するために、夏期には害虫にさされる可能性が低く、冬期には防寒の機能が高いタオルを提供することを目的とする。
【課題を解決するための手段】
【０００６】
以上の課題を解決するために、この考案は、タオルの幅方向を等分する折れ線により２つ又は３つ折りした状態で、長手方向の少なくとも一方の端部に、他方の端部を貫通できる貫通孔を有し、この貫通孔は、前記タオルの長手方向に対して直交する方向に長いことを特徴とする汗ふきタオルである。
【考案の効果】
【０００７】
この考案によれば、タオルの貫通孔は、タオルの長手方向に対して直交する方向に長いので、タオルの他方の端部を貫通した状態で、タオルが首もとの前側でも、立った状態になる。このため、タオルに覆われずに首が露出する部分が少なくなり、夏期には蚊、蜂、毛虫など害虫にさされる可能性が低くなる。また、冬期には、露出する部分が少なく寒気にさらされにくく、防寒の機能が高い。
【図面の簡単な説明】
【０００８】
【図１】この考案の一実施形態にかかる汗ふきタオルを使用した状態を正面から示す図である。
【図２】（Ａ）は図１のタオルの展開図、（Ｂ）は（Ａ）を２つ折りにした図である。
【図３】従来の首に巻くタオルを使用した状態を正面から示す図である。
【考案を実施するための形態】
【０００９】
この考案の実施形態を、図１，及び図２に示す。
図２（Ａ）に示すように、このタオル１は、図中縦方向の長さ、すなわち幅に対して、図中横方向の長さは、数倍である。そして、幅方向を２等分する折れ線３により２つ折りした状態（同図（Ｂ））で、長手方向の少なくとも一方の端部５、すなわち左端部に、１つの貫通孔７を有する。この貫通孔７は、同図（Ａ）では、折れ線３に対して線対称に２つ形成され、折った状態で、連通し、見た目上１つの貫通孔７になる。  タオル１の貫通孔７は、タオル１の長手方向に対して直交する方向（すなわち幅方向であり図２中縦方向）に長い。
【００１０】
そして、タオル１を２つ折りの状態で、図１に示すように、首９に巻き、貫通孔７に、タオル１の他方の端部１１を貫通して、使用する。
「実施形態の作用・効果」
以上の実施形態によれば、次の作用・効果を得る。
（１）タオル１の他方の端部１１を、貫通孔７に貫通して使用することで、貫通孔との摩擦で端部11が抜けにくく、よって、タオル１を首に巻いただけのものに比べ、解けにくい。
（２）図２に示すように、タオル１の貫通孔７は、タオル１の長手方向に対して直交する方向に長いので、図１に示すように、タオル１の他方の端部１１を貫通した状態で、タオル１が首もと１３の前側１５でも、必ず、立った状態になる。
このため、立った状態のタオル１は、立った状態である首９に沿って、位置できる。このため立った状態である首９の高い部位まで、タオル１で覆うことができる。よって、タオル１に覆われずに首９が露出する部分が少なくなる。
図１は、巻き方を緩くしているが、巻き方をよりきつくすれば、首もと１３の周囲の露出部分はほぼ無くなる。すなわち、２つ折りのタオル１の幅が、有効に利用され、広い幅で、首もと１３が覆われる。
【００１１】
これにより、夏期には蚊、蜂、毛虫など害虫に、首もと１３がさされる可能性が低くなる。また、冬期には、首もと１３の露出する部分が少なく、首もと１３が寒気にさらされにくく、防寒の機能が高くなる。
（３）タオル１を首９に巻いたままで、顔や額の汗が拭ける。
「他の実施形態」
以上の実施形態では、タオル１は幅方向を２等分するものであったが、他の実施形態では、タオル１は幅方向を３等分するものでも良い。この場合には、貫通孔７は３つ形成される。
以上の実施形態では、タオルの長手方向の一方の端部５に貫通孔７を有するものであったが、他の実施形態では、長手方向の両方の端部に貫通孔を有するものでもよい。この場合には、タオルのどちらか任意の端部を、反対の端部の貫通孔へ貫通させることができ、便利である。
【符号の説明】
【００１２】
１…タオル、３…折れ線、５…一方の端部、７…貫通孔、９…首、１１…他方の端部、１３…首もと、１５…前側。
【図１】
0003182449.tif 000003
【図２】
0003182449.tif 000004
【図３】
0003182449.tif 000005
(57)【要約】      （修正有）【課題】包丁の刃を短時間で、簡単、安全に交換できる取替刃包丁を提供する。【解決手段】柄３と、替刃取付部２と、替刃１からなり、替刃取付部２の根元２１は、柄３に差し込んで固定される。替刃取付部２は、替刃１を取り付けるために、溝を有し、溝の摩擦で替刃１を抜け難く保持する。また、替刃１が抜けないように下方に突出した前方向抜け止め２２を設ける。替刃１は交換可能な構造とする。【選択図】図１
0003182441.tif 000002
【実用新案登録請求の範囲】
【請求項１】
柄３と、替刃取付部２と、替刃１からなり、替刃取付部２の根元２１は、柄３に差し込んで固定し、替刃取付部２は、替刃１を取り付けるために、金板に溝を設け、その溝に替刃を挿入できるようにしたことを特徴とする取替刃包丁。
【請求項２】
替刃１の前方に挿入用前土台部１２、替刃１の後方には、挿入用後土台部１３を設け、これら挿入用前土台部１２、挿入用後土台部１３を、替刃取替アダプタ４にあてて、押圧することにより、替刃１を替刃取付部２に挿入できるようにしたことを特徴とする請求項１記載の取替刃包丁。
【請求項３】
替刃１を替刃取付部２に装着するために鞘状の形状の替刃に被せたときに、替刃の挿入用前土台部１２、挿入用後土台部１３に当接し、それを通して押圧するための、前部挿入当たり４３と後部挿入当たり４４を備えたことを特徴とする、請求項１または請求項２記載の取替刃包丁に使用するために替刃取替アダプタ。
【請求項４】
替刃取替アダプタには、替刃取付部に、取り付けた替刃を引っ張って取り外すために、替刃を挟めるように、前部切込み４１と後部切込み４２を備えたことを特徴とする請求項３記載の替刃取替アダプタ。
【考案の詳細な説明】
【技術分野】
【０００１】刃を取替え可能な包丁に関する。
【背景技術】
【０００２】従来、包丁の刃は、包丁の刃が、包丁の柄の根元に、抜けないように突き刺して固定していた。包丁の刃は交換できないため、包丁に刃を磨くときは、包丁の柄をもって、刃を斗石の上に載せて磨いていた。
【先行技術文献】
【特許文献】
【０００３】
【特許文献１】  特開２００６−２３１０１３公報
【考案の概要】
【考案が解決しようとする課題】
【０００４】特許文献１にように、包丁の刃を替えるためには、刃を固定しているネジを緩めて、刃を取り外す必要があり、交換に時間がかかった。
【課題を解決するための手段】
【０００５】柄３と、替刃取付部２と、替刃１からなり、替刃取付部２の根元２１は、柄３に差し込んで固定し、替刃取付部２は、替刃１を取り付けるために、金板に溝を設け、その溝に替刃を挿入できるようにしたことを特徴とする取替刃包丁。【０００６】替刃１の前方に挿入用前土台部１２、替刃１の後方には、挿入用後土台部１３を設け、これら挿入用前土台部１２、挿入用後土台部１３を、替刃取替アダプタ４にあてて、押圧することにより、替刃１を替刃取付部２に挿入できるようにしたことを特徴とする取替刃包丁。【０００７】替刃１を替刃取付部２に装着するために、鞘状の形状の替刃に被せたときに、替刃の挿入用前土台部１２、挿入用後土台部１３に当節し、それを通して押圧するための、前部挿入当たり４３と後部挿入当たり４４を備えたことを特徴とする、取替刃包丁に使用するために替刃取替アダプタ。【０００８】替刃取替アダプタには、替刃取付部に、取り付けた替刃を引っ張って取り外すために、替刃を挟めるように、前部切込み４１と後部切込み４２を備えたことを特徴とする替刃取替アダプタ。
【考案の効果】
【０００９】包丁の刃を短時間、簡単、安全に交換できる。
【図面の簡単な説明】
【００１０】
【図１】本考案の取替刃包丁の構成  （ａ）側面図  （ｂ）正面図
【図２】本考案の取替刃包丁のアダプタの構成  （ａ）替刃  （ｂ）アダプタ（正面図）  （ｃ）アダプタ（平面図）  （ｄ）アダプタ（側面図）
【考案を実施するための形態】
【００１１】図１は、本考案の取替刃包丁の構成を示す。（ａ）は側面図  （ｂ）は正面図を示す。
本考案の取替刃包丁は、柄３と、替刃取付部２と、替刃１からなる。
替刃取付部２の根元２１に、柄３を差し込み、かえり２４で抜けないようにしている。
替刃取付部２は、（ａ）の側面図からわかるように、替刃１を挟んで、取り付けるため、例えば、一つの金板をフライス加工し溝を作る構成をしている。
替刃取付部２は、溝の摩擦で替刃を抜け難くしており、面取り２５で材料を切れやすくしている。又、替刃取付部２の先の内側は、替刃が抜けないように、下方に突出した前方向抜け止め２２を設けている。
替刃１は、替刃１に後述する替刃取替アダプタをかまして、その替刃取替アダプタの背を押圧することにより、替刃を替刃取付部２に取り付ける。
【００１２】図２は、本考案の取替刃包丁の替刃取替アダプタの構成示す。（ａ）は替刃、（ｂ）はアダプタ（側面図）、（ｃ）は替刃取替アダプタ（平面図）を示す。
（ａ）に示すように、替刃の前方には、アダプタに挿入用前土台部１２、替刃の後方には、アダプタに挿入用後土台部１３を設けている。
アダプタに挿入用前土台部１２の上部は、替刃取付部２の前方向抜け止め２２と嵌まるように、切り欠き１２１を設けている。
【００１３】（ｂ）は替刃取替アダプタで、替刃に被せるため、鞘状の形態をしており、金属または樹脂で構成している。
替刃取替アダプタ４の両側の前部挿入当たり４３と後部挿入当たり４４は、替刃をアダプタに装着したときに、替刃１の前部は、替刃取替アダプタ４の挿入用前土台部１２、替刃の後部は、替刃取替アダプタ４の挿入用後土台部１３に夫々当接し、アダプタの背を押圧することにより、その当接により替刃１を押し込み、替刃取付部２に取り付ける構成とする。
替刃取替アダプタ４は、前部挿入用当たり４３、後部挿入用当たり４４により、取替刃１の両端をこの部分に当てながら安全かつ早く替刃取付部２に挿着できる。
又、替刃取替アダプタ４には、替刃取付部２に、取り付けた替刃１を引っ張って取り外すために、替刃１を挟めるように、前部切込み４１と後部切込み４２を備える。
（ｃ）は、替刃取替アダプタの平面図である。前部切込み４１と後部切込み４２は、替刃に当接し易いように四角形になっている。
【産業上の利用可能性】
【００１４】家庭で使う包丁を、研ぐ必要がなくなり、替刃を交換するだけで使用できる包丁を提供する。
【符号の説明】
【００１５】１  替刃
１２  挿入用前土台部
１３  挿入用後土台部
２  替刃取付部
２１  根元
２２  前方向抜け止め
２３  後方向抜け止め
２４  かえり
３  柄
４  替刃取替アダプタ
４１  前部切込み
４２  後部切込み
４３  前部挿入当たり
４４  後部挿入当たり
【図１】
0003182441.tif 000003
【図２】
0003182441.tif 000004
(57)【要約】      （修正有）【課題】夜間走行時対向車から見て遠い方のハイビームを点灯させることによりより遠くが見えやすく、また対向車にとっては眩しさを軽減できるライトスイッチを提供する。【解決手段】車両に搭載する、対向車線の反対側となるハイビームのみを点灯させる回路と、前記回路を作動させるためのスイッチと、からなることを特徴としてライトスイッチを形成する。さらに、対向車から遠い方のハイビームのライトが点灯可能なように従来のスイッチのロービームの後にスイッチの接点と回路を設ける。尚ハイビーム左右点灯の従来のスイッチはそのまま使用する。【選択図】図１
0003182423.tif 000002
【実用新案登録請求の範囲】
【請求項１】
夜間の自動車運転時ロービームライトで運転するが前が見にくいため、両方のハイビームを点けて走行すると対向車が眩しく迷惑をかけることになる。
従ってロービームで走行するが横断中の歩行者等に気付きにくい。
対策として
車に対向車の反対側のハイビームのみを点灯させるスイッチ及び回路を取り付ける。
それにより左右ロービームと対向車の反対側のハイビームを点灯することで近くと遠方が確認でき事故の軽減が期待できる。
併せて対向車の眩惑も軽減できる。
【考案の詳細な説明】
【技術分野】
【０００１】対向車から遠い方のハイビームを１つ点灯できるように回路とスイッチを設ける
【背景技術】
【０００２】夜間の運転時対向車から遠い方のハイビームを点灯できるようにし、より遠くが確認できると共に対向車側のハイビームは点灯しないため対向車の眩惑を軽減できる
【考案の開示】
【考案が解決しようとする課題】
【０００３】運転者が夜間の運転時より遠くが確認できると共に対向車の眩惑を軽減する相反する現象
【考案が解決するための手段】
【０００４】対向車から遠い方のハイビームを１つを点灯する
【０００５】対向車側のハイビームは点灯しないため対向車の眩惑は軽減できる
【考案の効果】
【０００６】ハイビームは点灯しているため遠方が見渡せる上に対向車側のハイビームは消灯しているため対向車の眩惑は軽減でき安全運転に寄与する
【実施例】
【０００７】
【図面の簡単な説明】
【０００８】
【図１】夜間走行時のロービームに加えて対向車から遠い方のハイビームが点灯されて、対向車の眩しさを抑えながら、より遠くの確認が可能となる
【図２】ハイビームを点灯させるためのスイッチの増設の状況
【符号の説明】
【０００９】１        従来からのロービームの光線
２        新しく設ける対向車から遠い方のハイビーム光線
３        センターライン
４        ライトスイッチ「ＯＦＦ」
５                      「自動」
６                      「スモールライト」
７                      「ロービームライト」
８        新しく設ける対向車から遠い方の「ハイビーム用スイッチ」
【図１】
0003182423.tif 000003
【図２】
0003182423.tif 000004
【手続補正書】
【提出日】平成25年1月10日(2013.1.10)
【手続補正１】
【補正対象書類名】実用新案登録請求の範囲
【補正対象項目名】全文
【補正方法】変更
【補正の内容】
【実用新案登録請求の範囲】
【請求項１】
車両に搭載する、対向車線の反対側となるハイビームのみを点灯させる回路と、前記回路を作動させるためのスイッチと、からなることを特徴とするライトスイッチ。